(57)【要約】【課題】子局ごとの送信レベルを高精度に調整できるようにし、これにより伝送特性の劣化を抑圧することの可能な双方向ＷＤＭ光アナログ伝送システムを提供すること。【解決手段】親局１と子局２ａ，２ｂとを１芯の光ファイバ３を介して接続し、アップリンクおよびダウンリンクの光信号を波長多重することにより光ファイバ３を介した双方向伝送路を形成する。そして、子局２ａ，２ｂにおいてダウンリンクの光信号１０２の受信レベルを検出し、その値とリファレンス値との差に基づいてアップリンクの光信号１０３の送信レベルを調整する。【選択図】図１
2006304194.tif 000002
【特許請求の範囲】
【請求項１】
移動通信システムの基地局に接続される親局装置と、前記移動通信システムの移動端末と無線信号を授受する複数の子局装置とを具備し、前記無線信号により強度変調された光信号を前記親局装置と前記複数の子局装置との間で双方向アナログ伝送する双方向ＷＤＭ光アナログ伝送システムにおいて、
前記親局装置と前記複数の子局装置との間で双方向に授受される光信号を波長多重して１芯の光ファイバによるパッシブ光伝送路を形成し、
前記親局装置は、
前記光信号を前記複数の子局装置に向け前記光ファイバを介してダウンリンクで送信するダウンリンク送信手段を備え、
前記子局装置は、
前記光信号を前記親局装置に向け前記光ファイバを介してアップリンクで送信するアップリンク送信手段と、
前記ダウンリンクで到来する受信光レベルを検出する検出手段と、
前記アップリンクで送信される送信光レベルを、前記受信光レベルと規定の基準値との差に比例するレベルに制御する送信レベル制御手段とを備えることを特徴とする双方向ＷＤＭ光アナログ伝送システム。
【請求項２】
前記アップリンク送信手段は、前記無線信号に基づく駆動信号により駆動されてアップリンク送信光信号を生成出力する半導体レーザを備え、
前記送信レベル制御手段は、
前記半導体レーザのバイアス電流を制御して前記送信光レベルを制御するバイアス制御手段と、
前記バイアス電流に応じて前記駆動信号のレベルを調整する駆動信号調整手段とを備えることを特徴とする請求項１に記載の双方向ＷＤＭ光アナログ伝送システム。
【請求項３】
前記送信光レベルの変化量をＤデシベルとしたとき、前記駆動信号調整手段は前記駆動信号のレベルを２×Ｄデシベル変化させることを特徴とする請求項２に記載の双方向ＷＤＭ光アナログ伝送システム。
【発明の詳細な説明】
【技術分野】
【０００１】
この発明は、アナログ信号により強度変調した光信号を光ファイバを介して伝送する光伝送システムに関する。アナログ信号には、無線通信システムの無線区間に使用される無線周波数信号（ＲＦ（Radio Frequency）信号）などがある。
【背景技術】
【０００２】
携帯電話や業務無線などの無線通信システムにおいては、基地局からの電波が届きにくいエリアにおいても通信サービスを提供したいというニーズがあり、ＲＯＦ（Radio over Fiber）と呼ばれるアナログ伝送技術が注目されている。ＲＯＦとはアナログ状態の無線信号を光ファイバを介して伝送する技術であり、ＣＡＴＶなどの映像配信にも同様の技術が使われている。ＲＯＦ技術によれば、１つの無線基地局に光ファイバを介して複数のリモート基地局を接続するインフラ構成が可能となり、リモート基地局を介してサービスエリアを拡大することが可能になる。リモート基地局はアンプ、フィルタ、アンテナなどの簡易な構成で容易に小型化できるので、無線基地局そのものを複数設置する構成に比べてインフラ構成の設置スペース及びコストを抑えられ、通信エリアを効率的に拡大することができる。この種の無線通信システムにおいては無線基地局からリモート基地局への伝送方向をダウンリンクと称し、その逆の方向をアップリンクと称する。リモート基地局は子局と称され、複数の子局は一旦親局を介して無線基地局に接続される。
【０００３】
アップリンクにおける光リンク構成には、電気多重方式と光多重方式とがある。電気多重方式においては、各子局と親局とはそれぞれ１本の光ファイバにより接続され、親局の電気段において複数子局からの無線信号が多重される。この方式では光リンクにおける光ビート雑音が発生しない利点はあるものの使用する光ファイバ本数が多く、インフラ構成規模が大きくなる。そこで光多重方式が注目されている。光多重方式では各子局からの光ファイバを光カプラで合成し、親局には１本の光ファイバが接続される。この方式では波長多重技術を併用する必要があるが光ファイバの芯数を削減することができるため、インフラ構成を簡易化できる。
【０００４】
ところで、親局との間の光ファイバ長は子局ごとに異なるので、その間の伝送路損失にもバラツキがあるのが普通である。光多重方式を用いるパッシブ光ネットワークでは、親局の雑音特性がいずれの子局に対しても同じように影響する。このため、親局への伝送路損失の大きい子局への影響が、親局への伝送路損失の少ない子局よりも相対的に大きくなり、伝送路損失に応じて子局〜親局間の伝送路の雑音特性が著しく劣化することが考えられる。
【０００５】
これに対処するため、親局に接続される複数の子局が備える共有のアップリンクと共通のダウンリンクを備え、親局の手前で、アップリンクからダウンリンクにバイパスさせるようにする技術が開示されている（特許文献１を参照）。この文献においては、各子局はアップリンクに各子局毎に固有の周波数搬送波を設定された調整用信号を伝送し、その調整用信号をバイパス機能によりループバックしてダウンリンクで検波し、子局からの送信レベルを調整する。このようなネットワーク構成をとることで、親局において、自動的に各子局から受信する光信号レベルを均一化することが可能となる。
【０００６】
特許文献１のようにアップリンクからダウンリンクにバイパスさせた伝送路で損失をモニタする手法では、アップリンクとダウンリンクの損失割合を把握することが不可能である。すなわち、アップリンクでは各子局間の伝搬路損失が均一であってもダウンリンクに損失差が存在すると、アップリンク信号線における送信レベル調整が誤って行われることとなる。また光ファイバはコネクタごとに接続され接続損失のバラツキもあるので、そのバラツキがアップリンクの光レベル調整に反映されてしまうことになる。さらに子局の配置を変更する場合、アップリンクとダウンリンクの光ファイバが取り替えられる可能性もあり、その際に光リンクの損失配分が変わることもある。これらのことから、アップリンクにおいて子局ごとに送信レベルを高精度に調整することが困難である。
【特許文献１】特開平１１−５５１９１号公報
【発明の開示】
【発明が解決しようとする課題】
【０００７】
以上述べたように光多重方式を用いるパッシブ光ネットワークでは、子局ごとの親局への伝送路損失を確実に知ることが難しい。このため子局の送信レベルを調整して親局における受光レベルを高い精度で均一化することが困難であり、子局によっては雑音特性が著しく劣化して伝送特性に悪影響を及ぼすという不具合がある。  
この発明は上記事情によりなされたもので、その目的は、子局ごとの送信レベルを高精度に調整できるようにし、これにより伝送特性の劣化を抑圧することの可能な双方向ＷＤＭ光アナログ伝送システムを提供することにある。
【課題を解決するための手段】
【０００８】
上記目的を達成するためにこの発明の一態様によれば、移動通信システムの基地局に接続される親局装置と、前記移動通信システムの移動端末と無線信号を授受する複数の子局装置とを具備し、前記無線信号により強度変調された光信号を前記親局装置と前記複数の子局装置との間で双方向アナログ伝送する双方向ＷＤＭ光アナログ伝送システムにおいて、前記親局装置と前記複数の子局装置との間で双方向に授受される光信号を波長多重して１芯の光ファイバによるパッシブ光伝送路を形成し、前記親局装置は、前記光信号を前記複数の子局装置に向け前記光ファイバを介してダウンリンクで送信するダウンリンク送信手段を備え、前記子局装置は、前記光信号を前記親局装置に向け前記光ファイバを介してアップリンクで送信するアップリンク送信手段と、前記ダウンリンクで到来する受信光レベルを検出する検出手段と、前記アップリンクで送信される送信光レベルを、前記受信光レベルと規定の基準値との差に比例するレベルに制御する送信レベル制御手段とを備えることを特徴とする双方向ＷＤＭ光アナログ伝送システムが提供される。
【０００９】
このような手段を講じることにより、アップリンクとダウンリンクとで１芯の光ファイバが共有される。つまり双方向伝送において共通の光ファイバが使用されることになる。従ってダウンリンクの光受信レベルから、光リンクの構成、アップリンクとダウンリンクの接続変更に依存せずに、同じ光ファイバのアップリンクにおける光損失を子局装置単独で高精度に把握することが可能となる。これにより子局装置からの送信光レベルを高精度に調整できるようになり、伝送特性の劣化を効果的に抑圧することが可能になる。
【発明の効果】
【００１０】
この発明によれば、子局ごとの送信レベルを高精度に調整できるようになり、よって伝送特性の劣化を抑圧することの可能な双方向ＷＤＭ光アナログ伝送システムを提供することができる。
【発明を実施するための最良の形態】
【００１１】
［第１の実施形態］
図１は、この発明に係わる双方向ＷＤＭ光アナログ伝送システムの実施の形態を示すシステム図である。図１において、無線通信システムのセンター基地局である親局１と複数のリモート基地局である子局２ａ及び２ｂが光ファイバ３で接続される。なお図１においては子局２が２つの場合につき示すが、子局２は複数個であれば幾つでもよい。親局１から子局２へのダウンリンク及び子局２から親局１へのアップリンクは、親局１及び子局２内にＷＤＭカプラ４を備えて光ファイバ３と接続し、ＷＤＭ（Wavelength Division Multiplex）双方向伝送の構成をとる。光ファイバ３のリンク構成は、バス型、スター型、ツリー型等のパッシブ光多重であれば、図１と異なるリンク構成を用いることもできる。
【００１２】
この実施形態では親局１内のレーザ５の出力帯域を１．３μｍ帯とし、子局２内のレーザ６ａ、６ｂの出力帯域を１．５μｍ帯と想定する。アップリンクにおける光ビート雑音の発生を回避するためには、レーザ６ａ及び６ｂの波長間隔を１．０ｎｍ以上とするようにする。特に、子局２は屋外に設置されるため、環境温度の変化が数十度以上である。従って、環境温度に対するレーザの波長変化による波長近接を考慮すると、常温におけるレーザ６ａ及び６ｂの波長差は１０ｎｍ以上が望ましい。
【００１３】
親局１は無線信号の変復調部７を備え、通信される音声及びデータ１００は外部ネットワーク８に備えられる他の親局１、または他通信システム（いずれも図示せず）に接続される。ダウンリンクにおいて、変復調部７からの無線信号である送信信号１０１はレーザ５に入力され、電気−光変換（Ｅ／Ｏ）されて光信号１０２が生成される。この光信号１０２は１芯の光ファイバ３およびＷＤＭカプラ４を経由して子局２に伝送される。レーザ５における電気−光変換（Ｅ／Ｏ）では、直流バイアス電流に対して送信信号１０１を重畳して、レーザ５の光強度を変調する構成をとる。アップリンクにおいては、光ファイバ３及びＷＤＭカプラ４を経由して子局２から伝送される光信号１０３は、親局１のフォトデテクター９で光−電気変換（Ｏ／Ｅ）され、受信信号１０４として変復調部７に入力される。
【００１４】
親局１と子局２を接続する光リンクは、伝送路途中に光カプラ１０が配置され、子局２ａと子局２ｂを含めたパッシブリンクを構成している。光カプラの分岐比は、任意に設定して構わないが、工事性の簡便化、使用コンポーネントの統一を考慮すると、分岐比は５０：５０が最も好ましい。但し、工事性や複数品種のコンポーネント使用が許容されれば、分岐比は任意に設定しても構わない。
【００１５】
子局２はリモート基地局の構成をとり、変復調部は備えずに、主に光送受信部、アンプ、アンテナで構成される。無線信号である送信信号１０１、受信信号１０４は、光アナログ信号の状態で光ファイバ３を経由し、子局２と親局１の間で授受される。まず子局２のダウンリンクについて説明する。親局１からの光信号１０２はＷＤＭカプラ４を経由してフォトデテクター１１に達し、光−電気変換（Ｏ／Ｅ）される。フォトデテクター１１には、逆バイアス電圧１２が印加され、受信した光信号１０２の平均レベルに応じた電流が抵抗１３に流れる。コンパレータ１４は、抵抗１３の両端の電圧比較結果を出力し、子局２で受信した光信号１０２の平均レベルをモニターする。フォトデテクター１１で電気−光変換（Ｅ／Ｏ）された送信信号１０１は、電力増幅器１５、スイッチ１６を経由して、アンテナ１７から無線放射される。
【００１６】
一方、アップリンクでは、アンテナ１７で受信した受信信号１０４は、スイッチ１６、低雑音増幅器１８を経由して、レーザ６に入力される。その際、受信信号１０４は、コンデンサ１９及びインダクタ２０で構成されるバイアス重畳部において、直流バイアス電流２１に重畳される。レーザ６は受信信号１０４を電気−光変換（Ｅ／Ｏ）して光信号１０３を生成し、この光信号１０３はＷＤＭカプラ４、光カプラ１０、光ファイバ３を経由して親局１側に伝送される。ここで、子局２は親局１の光信号１０２の送信レベルを予めリファレンスとして記憶する。直流バイアス電流２１の値は、このリファレンスと、受信した光信号１０２のレベルに依存するコンパレータ１４の出力との比較に基づいて決定される。  
なお送信される光レベル信号を調整するには、レーザ６の後段部に光アッテネータＡＴＴを挿入するようにしてもよい。しかしながら、構成要素が増えて規模が大きくなること、光アッテネータ量に依存して歪み特性が劣化することなどに注意する必要がある。
【００１７】
直流バイアス電流２１は、光ファイバ３、光カプラ１０における伝搬路損失が小さければ直流バイアス電流２１を小さくして光信号１０３の出力レベルを抑えるように調整する。これに対して伝搬路損失が大きければ、直流バイアス電流２１を大きくして光信号１０３の出力レベルを増やすようにする。次の表１に、親局１と子局２の間の伝搬路損失と子局２から出力される光信号１０３の出力レベルの設定例を示す。
【表１】
2006304194.tif 000003
【００１８】
表１に示すように、伝搬路損失が３［ｄＢ：デシベル］、５ｄＢ、１０ｄＢ、１５ｄＢ、２０ｄＢである場合に、子局２のレーザ６からの出力をそれぞれ０ｄＢｍ、１ｄＢｍ、２ｄＢｍ、４ｄＢｍ、６ｄＢｍとすると、親局１で受信する光信号レベル差が、伝搬路損失３ｄＢと２０ｄＢにおける光信号受信レベル差−３［ｄＢｍ］から−１４ｄＢｍ内におさまるように設定することができる。
【００１９】
子局２から親局１への雑音特性を考慮した場合は、複数の子局２からの光信号１０３が、親局１において同じ受信レベルとなる場合が最も良好となる。しかしながら、レーザ６のバイアス電流による制御においては、レーザ６が十分に発振して雑音特性を良好に保つことが重要であるので、最低出力レベルを考慮する必要がある。この実施形態においては、最低出力レベルを０ｄＢｍとして出力レベルの設定例を示した。
【００２０】
図２は、親局１と子局２ａの伝搬路損失が２０ｄＢの場合に他の子局２ｂの伝搬路損失に依存するアップリンクの雑音指数特性を示す図である。図２は、レーザ変換効率＝０．１０Ｗ／Ａ、フォトデテクター変換効率＝０．８０Ａ／Ｗ、熱雑音＝５ｐＡ／√Ｈｚ、レーザ相対強度雑音＝−１５０［ｄＢ］／Ｈｚ、レーザ及びフォトデテクターの入出力整合５０Ωとした場合の数値計算（シミュレーション）結果である。
【００２１】
図２は、光多重がない場合、光送信レベルを調整しない場合、親局１において同じ受信レベルとなるように各子局の光送信レベル調整した場合、本実施形態における光信号レベルを０ｄＢｍ〜６ｄＢｍで調整した場合における、アップリンクのレーザ６からフォトデテクター９までの光伝送部における雑音指数を示す。光多重がない場合の雑音指数は、５８．３５ｄＢであり、親局で同じ光受信レベルに調整した場合には５９．７１ｄＢになる。
【００２２】
本実施形態における雑音指数は、子局２ｂの伝搬路損失が小さい場合に、光送信レベルの調整制限から、７ｄＢ程度の劣化を生じているが、光信号レベルの調整がない場合に比べて、８〜１０ｄＢの改善が得られている。このように、ダウンリンクの光信号１０２の受信レベルをモニターしてレーザ６の直流バイアス電流２１を調整する簡易な構成により、アップリンクの雑音指数の８〜１０ｄＢの改善効果が得られる。
【００２３】
このように本実施形態では、親局１と子局２ａ，２ｂとを１芯の光ファイバ３を介して接続し、アップリンクおよびダウンリンクの光信号を波長多重することにより光ファイバ３を介した双方向伝送路を形成する。そして、子局２ａ，２ｂにおいてダウンリンクの光信号１０２の受信レベルを検出し、その値とリファレンス値との差に基づいてアップリンクの光信号１０３の送信レベルを調整するようにしている。光信号１０３と光信号１０２は同じ光ファイバ３を介して伝送されるため、アップリンクとダウンリンクにおける損失差は、光信号１０２と光信号１０３の波長差によるファイバ損失のみであるといえる。仮にコネクタ接続不良による大きい損失があった場合においても、双方向伝送により同じ光ファイバを用いていることから伝搬路損失を子局２ａ，２ｂ側で容易に推定することが可能である。
【００２４】
波長差による損失差は、同じ１．３μｍ帯あるいは１．５μｍ帯の波長域であれば、２０ｋｍ伝搬させても０．５ｄＢ以下程度の無視できる値である。また、１．３μｍ帯と１．５μｍ帯においては、２０ｋｍ伝搬させても３ｄＢ以下であり、補正係数を考慮することで１ｄＢ以下にすることは容易である。従って双方向伝送のダウンリンクにおける光信号の受信レベルを参照することで、高精度に光ファイバ３及び光カプラ１０の伝搬路損失を把握することが可能となる。これにより子局２ａ，２ｂごとの送信レベルを高精度に調整できるようになり、伝送特性の劣化を効果的に抑圧することが可能になる。
【００２５】
既存のシステムのように、アップリンクとダウンリンクとで光ファイバが異なる場合に、コネクタ損失によるアップリンクとダウンリンクの損失差があると、その値を子局側だけで判断することが困難である。また、伝送路途中を工事などにより再配置して接続損失やアップリンクとダウンリンクで迂回経路が異なる場合などにおいても、子局のみで伝搬路損失を判断することが困難である。特に、光ファイバにダークファイバを用いる場合には光ファイバの損失のバラツキが大きく、またコネクタ損失のバラツキも大きい。よってダウンリンクとアップリンクの光ファイバによるループバックなどによる伝搬路損失は、３ｄＢ以下の高い精度での把握が困難である。
【００２６】
これに対し本実施形態では、伝送路途中に、ループバックなどの損失を付加する構成要素を設ける必要が無い。双方向伝送とすることによるＷＤＭカプラ挿入は負荷損失となるが、光カプラや光スイッチに比べて挿入損失は小さく、アップリンク及びダウンリンクにおける雑音特性の劣化を抑えることができる。
【００２７】
以上をまとめるとこの実施形態によれば、ダウンリンクにおける光信号の受信レベルの増減に応じて、アップリンクの送信光レベルを調整することで、親局との伝搬路損失が小さい子局が、伝搬路損失が大きい子局における雑音特性の劣化を抑えることが可能となる。またアップリンクやダウンリンクの経路や敷設状況が変更されても、各リモート基地局の光送信レベルを現場において調整する必要がなく、センター局のアップリンクに接続されたリンク損失が最大のリモート局に対して、所定の雑音特性を提供することが可能となる。
【００２８】
［第２の実施形態］
図３は、この発明に係わる双方向ＷＤＭ光アナログ伝送システムの第２の実施形態における子局装置を示すブロック図である。なお図３において図１と共通する部分には同じ符号を付して示し、ここでは異なる部分についてのみ説明する。  
第１の実施形態において、子局２から親局１への光信号の送信レベルは、直流バイアス電流２１により調整した。本発明に係わる双方向ＷＤＭシステムを無線通信システムに適用する場合には、アップリンクにおける干渉波に対する３次歪み規定を考慮することが望ましい。この実施形態においては、アップリンクにおける干渉波を考慮した子局２の構成を示す。
【００２９】
図３において、レーザ６の特性は、直流バイアス電流２１を調整して光信号１０３の送信レベルをＤ［ｄＢ］変化させた場合、レーザ６の線形特性を示す入力換算３次インターセプトポイント（3rd Input Intercept point：ＩＩＰ３）は２×Ｄ［ｄＢ］変化することになる。例えば、レーザ６の送信レベルが＋６［ｄＢｍ］であれば、変調信号に対するＩＩＰ３が＋３０［ｄＢｍ］とする。この場合、レーザ６の送信レベルを３［ｄＢ］下げて＋３［ｄＢｍ］に調整すると、変調信号に対するＩＩＰ３は、６［ｄＢ］下がって、＋２４［ｄＢｍ］となる。従って、レーザ６に入力される受信信号１０４のレベルも、光信号１０３の送信レベルの調整に対応して調整する必要がある。
【００３０】
具体的には、図３に示すようにアップリンクの低雑音増幅器１８の後段にアッテネータＡＴＴを配置する。そして、アップリンクの光信号１０２の受信レベルに依存するコンパレータ１４の出力によりレーザ６の直流バイアス電流２１を調整すると同時に、受信信号１０４のレベルをアッテネータＡＴＴで調整する。目安としては、光信号１０２の光レベルを所定の基準に対して±Ｄ［ｄＢ］調整した場合に、アッテネータＡＴＴにおける受信信号のレベルにおいて、±２×Ｄ［ｄＢ］の調整を行う。
【００３１】
受信信号１０４に対するレベル調整は、アンテナ１７からのアップリンク雑音指数が劣化する懸念がある。ここで、本実施形態における受信信号１０４に対するレベル調整がある場合と、レベル調整がない場合に対する、アンテナ１７からの雑音指数を図４に示す。
【００３２】
図４は、図１のシステムに図３の子局２ａ，２ｂを適用した場合に、子局２ａの親局１までの伝搬路損失を２０ｄＢとして、子局２ｂの親局１までの伝搬路損失が３，５，１０，１５，２０ｄＢとなった場合の数値計算結果である。数値計算に用いたパラメータは、レーザ６の基準となる出力を４ｍＷ、ＩＩＰ３＝＋３０ｄＢｍ、アンテナ部からレーザ６までの基準利得を４５ｄＢ、アンテナ１７からアッテネータまでの雑音指数を４．１４ｄＢとした。受信信号１０４のレベル調整は、光信号１０３の送信レベルをＤ［ｄＢ］とした場合に、上記したように２Ｄ［ｄＢ］とする。
【００３３】
図４において、本実施形態による受信信号１０４のレベル調整ありの場合、調整なしに比べて、雑音指数の劣化は２ｄＢ以下に抑えられていることがわかる。光多重リンクとしては、伝搬路損失＝２０ｄＢである子局２ａに対する雑音指数＝１５．８ｄＢより劣化していなければ、無線通信システムとして機能を損なうことはない。従って、干渉波に対する歪み特性を維持して、雑音指数の劣化は無線通信システムの機能上問題ないレベルに抑えられている。
【００３４】
このように本実施形態では、子局２において、光信号１０３の送信レベルと受信信号１０４のレーザ６への入力レベルを連動して調整するようにしており、これにより干渉波による３次歪み規定を満足することが可能となる。つまり、本発明における双方向ＷＤＭを用いたアナログ光伝送システムを、無線通信システムのセンター基地局及びリモート基地局により好適に適用することが可能となる。
【００３５】
以上述べたように上記各実施の形態において、ダウンリンクとアップリンクとを双方向伝送し、ダウンリンクとアップリンクとで共通の光ファイバを使用することを利点として、子局のみで光ファイバの損失を把握することを可能としている。また、伝送路途中にループバックなどの機能を必要とする構成要素がなく、公共性の高い光ファイバは汎用的な構成を適用可能である。また、例えば、アップリンクやダウンリンクのファイバ経路や敷設状況が工事などで変更されても、アップリンクとダウンリンクの伝搬路損失のバラツキの影響を被らず、高精度にアップリンクの光信号レベルを調整することが可能である。さらに、アップリンクの光信号レベルの調整とともに受信信号に対する歪み規定を満たすために、アンテナからの受信信号のレーザへの入力レベルを調整することで、無線通信システムへの親和性をさらに高めることが可能になる。
【００３６】
なおこの発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３７】
【図１】この発明に係わる双方向ＷＤＭ光アナログ伝送システムの実施の形態を示すシステム図。
【図２】図１の親局１と子局２ａの伝搬路損失が２０ｄＢの場合に子局２ｂの伝搬路損失に依存するアップリンクの雑音指数特性を示す図。
【図３】この発明に係わる双方向ＷＤＭ光アナログ伝送システムの第２の実施形態における子局装置を示すブロック図。
【図４】この発明の第２の実施形態に係わる双方向光アナログ光伝システムのアップリンクの雑音指数を示す図。
【符号の説明】
【００３８】
１…親局、２ａ，２ｂ…子局、３…光ファイバ、４…ＷＤＭカプラ、５…レーザ、６…レーザ、７…変復調部、８…外部ネットワーク、９…フォトデテクター、１０…光カプラ、１１…フォトデテクター、１２…逆バイアス電圧、１３…抵抗、１４…コンパレータ、１５…電力増幅器、１６…スイッチ、１７…アンテナ、１８…低雑音増幅器、１９…コンデンサ、２０…インダクタ、２１…直流バイアス電流、１００…音声及びデータ、１０１…送信信号、１０２…光信号、１０３…光信号、１０４…受信信号、ＡＴＴ…アッテネータ
【図１】
2006304194.tif 000004
【図２】
2006304194.tif 000005
【図３】
2006304194.tif 000006
【図４】
2006304194.tif 000007